Podtech/llm-jp-corpus-v4-ja_patent huggingface dataset:
(57)【要約】【課題】従来の３人乗り自転車は、  同乗幼児への目配りや、乗り降り、走行安定性に問題があった。幼児座席は自転車をこぐ人の前後に配置され、ハンドルに設置した前方座席は、乗り降りの介添え時不安定であり、走行時ハンドル操作に伴う幼児の揺れなどにより、ハンドルにかかる力も変わり操作が難しかった。後部座席は走行中見えないため不安全であった、又、荷物台が使用不能となった。【解決手段】幼児座席２席ともサドル前方のフレームに取り付ける、前輪とハンドルはフレームに個々に取り付け、連結機構でつなぐ。前記ハンドルはサドルに腰掛て操作に最適な位置に設け、これにより、走行中も同乗幼児を見守りながら、従来自転車と同様感覚でハンドル操作ができる。停車時の立脚スタンドを幼児座席下方に取り付けることで、座席が安定して動かず、幼児乗り降りの介添えが安心して行える。【選択図】  図２
2010042760.tif 000002
【特許請求の範囲】
【請求項１】
自転車において、幼児座席２席をサドル前方のフレームに取り付ける, 前輪とハンドルはフレームに個々に取り付け、ハンドルと前輪の連結機構を有した３人乗り自転車。    
【請求項２】
幼児座席下方に停車時の立脚スタンドを取り付けた請求項１記載の３人乗り自転車。
【発明の詳細な説明】
【技術分野】
【０００１】
本発明は、大人１人が幼児２人と自転車に同乗、安全な乗り降りとスムーズな走行を実現できるようにした３人乗り自転車に関する。  
【背景技術】
【０００２】
従来の幼児補助席つき３人乗り自転車は、幼児座席を前部ハンドルと後部荷物台上とに設置したものがある。（例えば、特許文献１参照。）
【０００３】
以下、図４により、従来の３人乗り自転車について説明する、図において１は自転車をこぐ人のサドル、２は幼児前部座席、３は幼児後部座席。
【０００４】
幼児前部座席２は、ハンドルに取り付けた構造で、ハンドルは座席の側面を迂回する形で握り手が出ている、幼児後部座席３は、荷物を積む台上に設置されている。
【０００５】
【特許文献１】特開2005-082073号公報
【特許文献２】特開2004-034919号公報
【発明の開示】
【発明が解決しようとする課題】
【０００６】
以上に述べた従来の３人乗り自転車で、幼児前部座席２は、ハンドルに取り付け構造のため、走行中ハンドルを左右に操作すると、共に動き、乗っている幼児は不安定であった、ハンドル操作に伴い幼児が動く場合がありハンドル操作も不安定となった。
【０００７】
幼児前部座席２に、停車時、幼児を乗り降りさせる介添えの際、座席は回転自在のため、動く場合があり不安定であった。
【０００８】
幼児後部座席３は、自転車をこぐ人の背後で走行中見えないため、乗車中の幼児が居眠りなどして自己コントロールできないときは落下の危険があった。
【０００９】
幼児後部座席３が設置されているスペースは本来荷物を載せる台であり、荷物を載せるスペースが無くなった。
【００１０】
本発明は  このような従来の構成が有していた問題を解決しようとするものであり、３人乗り自転車の安全な乗り降りとスムーズな走行を実現することを目的とするものである。
【課題を解決するための手段】
【００１１】
そして  本発明は上記目的を達成するために、幼児座席２席ともサドル前方のフレームに取り付ける。荷物を載せる台は、従来通りサドル後部に設置した。また、幼児座席の下方に停車時の立脚スタンドを設けた。
【００１２】
前輪をフレームの前方に回転自在に取り付ける、ハンドルは前輪とサドル間のフレームに回転自在に取り付け、ハンドルと前輪の連結機構により、ハンドルの向きを前輪に伝える。
【００１３】
上記第１の問題解決手段による作用は、次の通りである。すなわち乗車中の幼児２人は、自転車をこぐ人の前方で、走行中も目が行き届き不慮の出来事に対しても対応出来る、幼児座席はフレームに取り付けるため、ハンドルの操作に関係なく安定した座席となる。荷物を載せる台は使用できる。停車時の立脚スタンドを幼児座席下方に設置することで、安定した座席に、乗り降りの介添えをすることが出来る。  
【００１４】
また、第２の課題解決手段による作用は、ペタルをこぐ人がサドルに腰掛て手が容易にハンドルに届き、ハンドル操作は従来自転車と同様な姿勢でできる。
【発明の効果】
【００１５】
上述したように本発明の３人乗り自転車は、サドル前方のフレームに取り付けている座席に乗車中の幼児２人を見守りながら、狭い通路でも、従来の二輪自転車と同様感覚で走行することが出来る。
【００１６】
また、  立脚スタンドを幼児座席下方に設けており、安定した乗り降りと停車状態を保つことが出来る。
【発明を実施するための最良の形態】
【００１７】
以下、本発明の実施の形態を図１〜図３に基づいて説明する。
【００１８】
図においては、1は前輪で、２は後輪、５は自転車をこぐ人のサドル、３、４は幼児座席で、自転車のフレーム８に設置されている。
【００１９】
６は荷物載せ台、１３はペダル、７は停車時の立脚スタンドで、走行時は足で蹴り上げ地面から離れる。
【００２０】
また、１４は幼児座席の持ち手。
【００２１】
ハンドル１２は、ハンドル下方に設置されている回転材１１から連結材１０を介して、前輪上部に設置されている回転材９ヘ左右回転を伝える、回転材９は前輪を保持しているフォークと接続されていて、ハンドル操作に従い前輪を目的の方向に向ける。
【００２２】
以下、上記構成における、自転車走行までの動きを説明する。
【００２３】
立脚スタンド７を立てた状態で、幼児を座席３、４に乗せ、ハンドル１２を持ち、立脚スタンド７を跳ね上げ、二輪で立つ状態にする、片足をペダル１３に掛け、他方の片足で地面を蹴り安定を保ちながら加速、一定の速度に達したらサドル５に身体を乗せ、ペダルをこぎ走行する、ハンドル１２を操作するとハンドル１２の下部に設置している回転材１１から、連結材１０、前輪上部の回転材９を介して前輪に伝わり、前輪を目的の方向に向け走行することが出来る。
【００２４】
ハンドル１２には、従来通り、ブレーキレバー、警告のベル等を取り付ける、自転車前部には夜間走行の為のヘッドライト、後部には警告のリフレクターを取り付ける。
【図面の簡単な説明】
【００２５】
【図１】本発明実施形態を示す３人乗り自転車の平面図
【図２】同自転車の側面図
【図３】ハンドルと前輪間の接続説明図
【図４】従来自転車の概念図
【符号の説明】
【００２６】
１    前輪  
２    後輪  
３    幼児座席  
４    幼児座席  
５    サドル
６    荷物台
７    立脚スタンド
８    フレーム  
９    前輪上部回転材
１０  連結材
１１  ハンドル下部回転材
１２  ハンドル  
１３  ペダル  
１４  幼児座席の持ち手
【図１】
2010042760.tif 000003
【図２】
2010042760.tif 000004
【図３】
2010042760.tif 000005
【図４】
2010042760.tif 000006
(57)【要約】【課題】  降雨時の自転車運転時等にフード付き雨合羽等を使用するが、前方からの雨がどうしても顔面にあたり大変不快である。その補助的役割として雨傘を使用するが、自転車操作が片手運転となり大変危険である。【解決手段】  降雨時の自転車運転時に装着型兼用傘を使用することにより、片手で傘を持つことなく自転車運転操作に支障が起きず、尚且つ顔面に雨が当たらず不快とならない。【選択図】図１
2010042225.tif 000002
【特許請求の範囲】
【請求項１】
当該傘は中棒を上はじき部分迄の短い中棒と細い中棒二本、長い中棒二本を並行に連ねさせたものを支柱とする傘とする。本来の中棒の役割となる上はじき部分迄の短い中棒の上ロクロの近い部分に長い中棒二本を取付け金具で回転可動できるように並行に取付ける。細い中棒二本それぞれの一端を上はじき部分迄の短い中棒の先端に左右に回転可動できるように取付ける、更にそれぞれの両端を長い中棒二本の手元部分脇に回並行に連ねて取付け、傘を開く際の役割となるスライダーとなるように施したことを特徴とした装着型兼用傘。
【請求項２】
請求項１に記載の傘であっって傘を開いた状態においての上はじき部分迄の短い中棒に取付けた、長い中棒二本の取付け金具部分の回転可動利用しながら、左右に開くことにより、細い中棒二本の上はじき部分迄の短い中棒先端取付け部分も乗じて回転可動し左右に展開する形とし、更に長い中棒二本、細い中棒二本のそれぞれに屈曲可能箇所を一箇設けて、それぞれの屈曲可能箇所を利用しさらに内側に垂直に曲げ降ろし、長い中棒二本が両サイドに拡がる形状を特徴とした装着型兼用傘
【請求項３】
請求項１、２に記載の傘であって、細い中棒二本を取付けた長い中棒二本の手元部分から肩から腰付近まで延伸できるよう伸縮機能を持たせる。延伸した長い中棒二本の中間付近と手元には長さ調節のできる連結機能を付けた弾性体のバンドを回転可能な様に取付ける。開いた傘の状態に於いて、長い中棒二本と細い中棒二本のそれぞれの上はじき部分迄の短い中棒の取付け箇所の回転可動を利用しながら左右に拡げ、さらに長い中棒二本と細い中棒二本のそれぞれの屈曲箇所を利用し内側に垂直に曲げ降ろし、延伸した長い中棒二本の中間付近に取付けた長さ調節のできる連結機能を付けた弾性体バンドを両肩に渡らせ背面にて連結し、手元に取付けた長さ調節のできる連結機能を付けた弾性体バンドを腰付近の背面にて連結させ長い中棒二本を肩、腰付近で平行に支えとする事を特徴とした装着型兼用傘。
【請求項４】
請求項１，２、３に記載の傘であって、通常の傘のような使用方法ができ、長い中棒二本、細い中棒二本のそれぞれの回転可動、屈曲可能箇所を利用し両サイドに拡げ、長い中棒二本の伸縮機能によって延伸し、手元に取付けた、長さ調節のできる連結機能を付けた弾性体バンドを利用し体幹に沿って装着させ、手に持つことなく雨除けのできることを特徴とする装着型兼用傘。
【発明の詳細な説明】
【技術分野】
【０００１】  本発明は従来の雨傘、日傘のように手で持つことだけではなく、二本の中軸を左右に拡げ、体幹で支えを利用し、手に持つことなく使用することを図った雨傘に関する。
【背景技術】
【０００２】  自転車運転時にはフード付き雨合羽等を利用するが、前方からの雨はどうしても避けられず、顔面に雨があたり不快である。従来には雨傘を自転車に取付ける自転車用の装着具や衣類の上からバンド等を装着するなど、雨傘を取付けるという保持具あった。
【特許文献１】特開２００５−３２４７５１広報
【特許文献２】特開２００６−０７５５５７広報
【非特許文献１】
【非特許文献２】
【発明の開示】
【発明が解決しようとする課題】
【０００３】  しかしながら、以上の技術によれば自転車専用のものは自転車搭乗時のみ使用でき、歩行時には使用することができない。バンド等による傘保持具は衣類の上から装着したバンドに雨傘を受け支えるという点から固定度に疑問が残る。この発明はシンプルな構造で、傘保持具ではなく傘本体に近い役割を果たす道具を提供する事とする。
【課題を解決するための手段】
【０００４】  以上の課題を解決するために第一発明は、通常通りの手に持つ使用方法が可能である。【０００５】  また、第二発明は手に持つことなく歩行時及び自転車運転時も使用可能であり、傘本体の役割を果たす傘である。【０００６】  また、第三発明は長い中棒二本に回転可動箇所と屈曲可能箇所と伸縮機能を設け、細い中棒二本にも回転箇所と屈曲可能箇所を設けたことを特徴とした傘である。【０００７】  また、第四発明は長い中棒二本の伸縮機能を利用し延伸し体幹脇に沿って装着し、肩、腰付近の２箇所に長さ調節のできる連結機能を付けた弾性体バンドを背面でそれぞれ連結させ、体幹に装着支えとすることを特徴とする傘である。
【発明の効果】
【０００８】  以上詳述したように、本発明による装着型兼用傘を用いれば通常通りの使用方法と手を使わずして使用可能である。【０００９】  この発明の一実態形態を、図１、図２に示す。上ロクロＡ，上はじき迄の短い中棒Ｂ、細い中棒二本Ｃ、下ロクロＤ、長い中棒二本Ｅ、回転可動部分Ｆ、屈曲部Ｇ、取付け金具Ｈ、長さ調節のできる連結機能を付けた弾性体のバンドＩ、手元Ｊ、長い中棒二本の延伸部分Ｋとする。
【実施例】
【００１３】  開いた傘の強度を補助するため親骨と受骨の接続部分付近に補助骨を設け、隣あった補助骨を連結させる支えを取付けても良い。また骨組み部分を二分割し、折畳み傘様にしても良い。
【図面の簡単な説明】
【００１４】
【図１】この発明の一実態形態を示す開いた第一段階正面図である。
【図２】この発明の一実態形態を示す開いた第二段階正面図である。
【符号の説明】
【００１５】Ａ  上ロクロ
Ｂ  上はじき迄の短い中棒
Ｃ  細い中棒二本
Ｄ  下ロクロ
Ｅ  長い中棒二本
Ｆ  回転可動部分
Ｇ  屈曲部
Ｈ  取付け金具
Ｉ  長さ調節のできる連結機能を付けた弾性体のバンド
Ｊ  手元
Ｋ  長い中棒二本の延伸部分
【図１】
2010042225.tif 000003
【図２】
2010042225.tif 000004
(57)【要約】【課題】  痛みを早急に取り除く方法として、肌に貼る事が出来る物の接着面に縦、横、両サイドから斜めを加えた線状の模様をプリントして、痛みのある部位に簡単に貼ることの出来るテープやシートを提供する。【解決手段】  ストレッチ生地の布や紙に（１）の模様をプリントし、その上に透明な接着剤をつけて、さらに剥がせるフィルムをつけてテープやシートを作ります。粘着テープや粘着シートの表面は、無地であるが、裏面（接着面）には、（１）の模様がある事を特徴とする。【選択図】図１
2010042229.tif 000002
【特許請求の範囲】
【請求項１】
縦、横、両サイドから斜めを加えた線状の模様（１）をストレッチ生地の布や紙にプリントして、そこに接着剤をつけて、その模様（１）が痛みのある部位に当たるように貼る為、肌専用のシートやテープにしたもの。
【請求項２】
肌に当てる事を目的として、縦、横、両サイドから斜めを加えた線状の模様を布や紙にプリントすることや型抜きをすること。
【発明の詳細な説明】
【技術分野】
【０００１】  この発明は、人体が模様によっても、肩こりなど不快な症状が表われたりして、影響を受けるという考えに基づきます。
例えば、着ている洋服が、細かな模様に限りますが、ある人は縦縞模様に、ある人は横縞模様によって、不快な症状が表われています。
しかし、格子模様であれば、殆どの人が不快感はなく、逆に、調子が良いので、痛みのある部位に、これらの模様を当てて調べてみました。
縦縞や横縞や格子の模様は、貼り方によっては、除痛効果はありますが、貼り方が難しく、一般向きではないと思いました。
それで、縦、横に、両サイドから斜めを加えた線状の模様を思いつき、痛みのある部位に、その模様を当ててみたところ、良い効果が得られましたので、この模様をストレッチ生地の布や紙にプリントして肌専用の粘着テープや粘着シートを作る事を考え付きました。
このテープやシートの表面は無地ですが、裏面（肌面）は模様（１）をプリントしたものである。
この模様は細かいほど、除痛効果が高い。
【背景技術】
【０００２】  従来のものは無地で、模様による除痛効果は考えていない。
【発明が解決しようとする課題】
【０００３】  この模様は、布などにプリントをして、その面を、痛みのある部位にあてる事で、除痛効果があるもので、薬による肌荒れもなく、応急処置として誰でも簡単に使う事が出来る。
【課題を解決する為の手段】
【０００４】  布や紙に縦、横に、両サイドから斜めを加えた線状の模様をプリントして、その模様が痛みのある部位に当たるように、貼ることの出来る粘着テープや粘着シートにする事で、痛みのある部位に簡単に貼れるようにしたもの。
この模様は細かい程、効果が良い。
【発明を実施するための最良の形態】
【０００５】  以下、本発明の実施の形態について説明する。
縦、横に、両サイドから、斜めを加えた線状の模様を、ストレッチ生地の布や紙にプリントして、その上に透明な接着剤をつけて、さらに剥がせるフィルムをつける事で、痛みのある部位に、簡単に貼れるように粘着テープや粘着シートにする。
模様の大きさは、細かいほど、効果が良い。
【発明の効果】
【０００６】  粘着テープやシートにする事で、痛みのある部位に模様（１）が当たるように貼ることが簡単で、痛みが楽になるものである。
応急処置として、誰でも簡単に、使用可能である。
【図面の簡単な説明】
【図１】  本説明のテープやシートの接着面にプリントする模様である。
【図１】
2010042229.tif 000003
【図２】
2010042229.tif 000004
【手続補正書】
【提出日】平成20年11月4日(2008.11.4)
【手続補正１】
【補正対象書類名】明細書
【補正対象項目名】全文
【補正方法】変更
【補正の内容】
【発明の詳細な説明】
【技術分野】
【０００１】  この発明は、人体が模様によっても、肩こり等不快な症状が表われたりして、影響を受けるという考えに基づきます。
例えば、着ている洋服が、細かな模様に限りますが、ある人は縦縞模様に、ある人は横縞模様によって、不快な症状が表われています。
しかし、格子模様であれば、殆どの人が不快感はなく、逆に調子が良いので、痛みのある部位にこれらの模様を当てて調べてみました。
縦縞や横縞や格子の模様は、貼り方によっては、除痛効果は少しありますが、貼り方が難しく、一般向きではないと思いました。
それで、縦、横に両サイドから斜めを加えた、線状の模様を思いつきました。
早速、縦、横が均一に織られたストレッチ生地の布にその模様をプリントしまして、身体の違和感や痛みのある部位に、模様が肌面に当たるように固定粘着シートによって、貼りましたところ、楽になる事が分かりましたが、身体の２箇所以上に貼ることは、効き過ぎの為、逆効果になる事も分かりました。
それで、この模様をストレッチ生地の布や紙にプリントして、肌専用の粘着テープや粘着シートを作ることを考えつきました。
このテープやシートの表面は無地ですが、裏面（肌面）は模様（１）をプリントしたものである。
この模様は細かい程、除痛効果が高い。
【背景技術】
【０００２】  従来のものは無地で、模様による除痛効果は考えていない。
【発明が解決しようとする課題】
【０００３】  この模様は、プリントすることで効果があるので、薬による肌荒れもなく、応急処置として、誰でも簡単に使う事ができる。
【課題を解決する為の手段】
【０００４】  縦、横均一に織られたストレッチ生地の布や紙に、縦、横に、両サイドから斜めを加えた線状の模様をプリントして、その模様が身体の違和感や痛みのある部位に当たるように、簡単に貼ることのできる粘着テープや粘着シートにする。
例えば、肩こりや腰痛などは左右両方が悪いように感じますが、実際に悪いのは片方であると思います。
両方に貼るのは、逆効果で模様を当てて、楽になる方に貼れば良い。
【発明を実施するための最良の形態】
【０００５】  以下、本発明の実施の形態について説明する。
縦、横、両サイドから斜めを加えた線状の模様を、縦、横均一に織られたストレッチ生地の布や紙等にプリントして、その上に透明な接着剤をつけて、さらに剥がせるフイルムをつけることで、違和感や痛みのある部位に、簡単に貼れるように、粘着テープや粘着シートにする。
そして、身体の背軸に平行になる様に貼りますが、身体の２箇所以上に貼ることは、逆効果になります。
模様の大きさは細かい程、効果が良い。
【発明の効果】
【０００６】  粘着テープやシートにすることで、違和感や痛みのある部位に模様（１）が当たるように、貼る事が簡単で、違和感等が楽になるものである。
応急処置として誰でも簡単に使用可能である。
【図面の簡単な説明】
【０００７】
【図１】平面図  本説明のテープやシートの裏面の接着面にプリントする模様である。
【図２】平面図  本説明のテープやシートの表面である。
(57)【要約】【課題】  従来、胸ポケットからメガネの抜け落ちを防止する器具はなかった。  本発明は、胸ポケットにメガネを保持して安全に携帯でき、メガネを片手で抜き差しできる簡便な器具を提供する。【解決手段】  胸ポケットに入るメガネ保持板に対して、上端に胸ポケットに固定するクリップを設ける。クリップの反対面の側面上部に、メガネを保持板に挟む挟止板及びクッションを設ける。挟止板と同面の反対側付近に、ペンを差すための仕切り板を設ける。保持板のクリップ面下部に、深いポケットに対応するためのかさ上げ板を設ける。【選択図】図１
2010042221.tif 000002
【特許請求の範囲】
【請求項１】
メガネ保持板の上端にクリップを設け、クリップの反対面の側端にメガネ挟止板及びクッションを設けた胸ポケット用メガネ保持具。
【請求項２】
メガネ保持板のメガネ挟止板設置面と同面に、仕切り板を設けた請求項１の胸ポケット用メガネ保持具。
【請求項３】
メガネ保持板の下部に、かさ上げ板を設けた請求項１又は請求項２の胸ポケット用メガネ保持具。
【発明の詳細な説明】
【技術分野】
【０００１】  本発明は、胸ポケットに入れたメガネを胸ポケットから抜け落ちないように保持する器具に関するものである。
【背景技術】
【０００２】  従来、胸ポケットに入れたメガネに対して、つる部をゴムで固定するようなものはあったが（特許文献１参照）、抜け落ちを防止する簡便な器具はほとんどなかった。
【特許文献１】  登録実用新案第３０１９２０３号公報
【発明の開示】
【発明が解決しようとする課題】
【０００３】  注意していても、胸ポケットに入れたメガネが抜け落ちることがあるが、抜け落ちを防止する簡便な器具はなかった。そのため、抜け落ちたメガネが壊れたりなくしたりすることがあった。胸ポケットはメガネを入れておくのに好都合であるが、抜け落ちの心配から安心して利用できない。そのため、メガネを掛けるときは置いた場所に取りに行ったり、また置いた場所を忘れたりした。外出中は、鞄や上着のポケットにメガネをメガネケースに入れて持ち歩くが、出し入れが面倒であり鞄も上着もないときなど困ってしまった。
本発明は、以上のような問題点を解決するためになされたものである。
【課題を解決するための手段】
【０００４】    胸ポケットに入るサイズのメガネ保持板の上端に、それを胸ポケットに固定するためのクリップを設ける。クリップ面の反対面の側端にメガネを挿入して挟みこむカギ型に折れ曲がった挟止板を設け、挟止板の内側に保持板にメガネを圧止するためのクッションを設ける。同面の反対側端付近に、ペンを差すための仕切り板を設ける。保持板のクリップ面下部に、深めの胸ポケットに対応するためのかさ上げ板をハトメ鋲で回転式に留める。
以上の構成よりなる胸ポケット用メガネ保持具である。
【発明の効果】
【０００５】  胸ポケットに入れたメガネの抜け落ちを簡便に防止できる。胸ポケットからメガネの抜き差しを、片手で容易に行なうことができる。メガネを常時胸ポケットに入れておき、随時速やかに使うことができる。
仕切り板を設けてあるので、胸ポケットに差したペンがメガネと絡み合うことはない。かさ上げ板を設けてあるので、底の深いポケットにも安定して使うことができる。
【発明を実施するための最良の形態】
【０００６】  以下、本発明の実施の形態を説明する。
（イ）胸ポケット（１０）に入るサイズの保持板（１）の上端に、ポケット（１０）に固      定するためのクリップ（２）を設ける。
（ロ）クリップ（２）の反対面の側端にカギ型に折れ曲がった形状の挟止板（３）を設け      、その内側に保持板（１）との隙間にメガネ（８）を差し込んだ状態でメガネ（８      ）を隙間に押し止めるようなクッション（４）を設ける。
（ハ）挟止板（３）と同面の反対側に、ペン（９）をメガネ（８）と仕切るための仕切り      板（５）を設ける。
（ニ）クリップ（２）と同面下部の保持板（１）に、かさ上げ板（７）をハトメ（６）に      より回転可能に取り付ける。
本発明は以上のような構造である。
本発明を使用するときは、胸ポケット（１０）に挿入しクリップ（２）により固定しておく。挿入したメガネ（８）を、クッション（４）と保持板（１）との隙間にずらして差し込む。クッション（４）の圧力により押えられるので、メガネ（８）は抜け落ちることはない。メガネ（８）を取り出すには、メガネ（８）を横にずらしてクッション（４）から外す。ペン（９）を挟止板（３）の反対側に差せばメガネ（８）と絡み合うことはない。かさ上げ板（７）を中心より下方にずらしてハトメ（６）で留めておき、胸ポケット（１０）の底が深い場合にかさ上げ板（７）を１８０度回転させることにより保持板（１）の長さを増して胸ポケット（１０）内の保持板（１）を安定させる。
保持板（１）の内面及びクッション（４）の表面を滑らかで柔軟な材質にしておけば、メガネ（８）を痛めることはない。
【図面の簡単な説明】
【０００７】
【図１】は、本発明の内面側の斜視図である。
【図２】は、本発明の外面側の斜視図である。
【図３】は、本発明の内面側から見て左側の側面図である。
【図４】は、本発明の平面図である。
【図５】は、本発明の使用外観図である。
【図６】は、本発明の使用内面図である。
【図７】は、本発明のメガネ抜け落ち防止方法の説明図である。
【図８】は、本発明のかさ上げ板使用図である。
【符号の説明】
【０００８】（１）保持板、（２）クリップ、（３）挟止板、（４）クッション、（５）仕切板、（６）ハトメ、（７）かさ上げ板、（８）メガネ、（９）ペン、（１０）胸ポケット
【図１】
2010042221.tif 000003
【図２】
2010042221.tif 000004
【図３】
2010042221.tif 000005
【図４】
2010042221.tif 000006
【図５】
2010042221.tif 000007
【図６】
2010042221.tif 000008
【図７】
2010042221.tif 000009
【図８】
2010042221.tif 000010
(57)【要約】【課題】絶縁性の接着テープで金属球・円皮鍼等を皮膚上のツボに固定した場合でも、ツボの電気刺激を可能とするツボ刺激電極を提供する。【解決手段】    ツボ刺激電極を皮膚に固定するための接着テープ（１）に小孔（２）を設け、金属球（３）・円皮鍼（４）等のツボ刺激電極の金属の一部を露出させ、ツボの電気刺激を可能としたことを特徴とする。【選択図】図１
2010042228.tif 000002
【特許請求の範囲】
【請求項１】
接着テープ（１）に小孔（２）を設け、金属球（３）あるいは円皮鍼（４）の一部をそこから露出させて皮膚に固定できるようにしたツボ刺激用電極
【発明の詳細な説明】
【技術分野】
【０００１】    この発明は、皮膚上のツボを刺激する金属球・円皮鍼等のツボ刺激電極を絶縁性の接着テープで皮膚に固定したまま、ツボの電気刺激を可能にするものである。
【背景技術】
【０００２】    現在、ツボを刺激するために最も有効性が高いとされているのは、ツボに鍼を刺し、その鍼に電流を流す方法である。しかし、この方法は通電刺激の必要が生じる度に鍼を刺し、通電後に鍼を抜去する必要があり、穿刺と抜鍼を繰り返さなければならなかった。
長期間かつ継続的にツボを刺激する場合は、金属球・円皮鍼等のツボ刺激電極を接着テープによって皮膚上のツボに貼付することが通常であるが、この方法では手による機械的な圧迫を行うことしかできなかった。これらの金属球・円皮鍼等のツボ刺激電極は金属性であり、これを電極とすることは可能であったが、これを利用してツボの電気刺激をすることはできなかった。なぜなら、それらの電極を皮膚に固定するために絶縁性の有る接着テープで金属部分を覆ってしまうため、その上から通電をすることができなかったからである。そのため、長期間かつ継続的にツボの電気刺激を行うためには、電気刺激を必要とする度に鍼を皮膚に穿刺する必要があり、鍼治療の大きな障害となっていた。
【発明の開示】
【発明が解決しようとする課題】
【０００３】  本発明は金属球・円皮鍼等のツボ刺激電極を用いた場合でも、電気刺激が必要な時に、鍼の穿刺を繰り返すことなく、長期間かつ継続的に電気刺激を可能とするために開発されたものである。
【課題を解決するための手段】
【０００４】  皮膚に固定するための接着テープ（１）に小孔（２）を設けて、金属球（３）・円皮鍼（４）等のツボ刺激電極の一部をそこから露出させたものである。
本発明は、以上の構成によりなる小孔を有する接着テープ付きツボ刺激電極である。
【発明の効果】
【０００５】  接着テープに小孔が設けてあるために金属球・円皮鍼等のツボ刺激電極の金属の一部が露出し、この部分を通じてツボの電気刺激が可能となる。
【発明を実施するための最良の形態】
【０００６】  以下、本発明を実施するための最良の形態について説明する。
接着テープ（１）に０．５ｍｍから数ミリの小孔（２）を設け、金属球（３）・円皮鍼（４）等のツボ刺激電極を皮膚に固定する際に、ツボ刺激電極の金属の一部が小孔から露出するようにしてツボ上に貼付し、露出した金属から電気刺激を可能とする。
【図面の簡単な説明】
【０００７】
【図１】本発明の分解斜視図（金属球）である。
【図２】本発明の斜視図（金属球）である。
【図３】本発明の正面図（金属球）である。
【図４】本発明の断面図（金属球）である。
【図５】本発明の分解斜視図（円皮鍼）である。
【図６】本発明の斜視図（円皮鍼）である。
【図７】本発明の正面図（円皮鍼）である。
【図８】本発明の断面図（円皮鍼）である。
【符号の説明】
【０００８】１．接着テープ
２．小孔
３．金属球
４．円皮鍼
【図１】
2010042228.tif 000003
【図２】
2010042228.tif 000004
【図３】
2010042228.tif 000005
【図４】
2010042228.tif 000006
【図５】
2010042228.tif 000007
【図６】
2010042228.tif 000008
【図７】
2010042228.tif 000009
【図８】
2010042228.tif 000010
(57)【要約】【課題】  本発明は、古くから存在する血因病の治療、治癒手段に関係する遠赤外線の伝熱効果を安定させ、向上させる事から血因病の治療、治癒効果を高める所にある。また微生物類の活性を高める。【解決手段】  請求項１、２、３に記載する装着手段を具現化させ、装着手段の装着面、遠赤外線伝熱面の装着、密着度を強めることから遠赤外線の伝熱効果を向上させ、血因病の治療、治癒効果を高めさせている。また微生物の活性化も可能とさせている。【選択図】図１
2010042222.tif 000002
【特許請求の範囲】
【請求項１】
陽、陰の電極手段（図１のＡ、図３のＫ）を具備し通電させ、護謨、炭素、樹脂、無機物の混合から成る屈曲自在、平滑状の装着手段（図２のＣ、Ｄ）或いは装着具を独立する対（図２のＣ、Ｄ）に設け、動物、人体の体内細胞或いは微生物類に、電通させて発熱させる熱と、上記装着手段の対に備える電極手段（図３のＫ）を介して高周波電流（図１のＢ）を印加させ、上記対を為す装着手段間に位置させる細胞質或いは微生物類に活性力または免疫力を強めさせる伝熱電通手段（図１）に有って、上記対を為す装着手段の装着面全域に無限吸道（エンドレス）状の溝手段（図２のＩ）を形成させ、その溝の形成する領域を負圧に保つ負圧手段（図１のＥとＨ）を設け備え、上記対を為す装着手段の上記装着面全域を、対象となる被装着面に密着させ、密着を保持させる密着手段と装着手段及び装着具（図２、３のＩ、Ｃ、Ｄ、Ｋ）。
【請求項２】
請求項１に記載する密着手段と装着手段及び装着具に有って、対を為す装着手段（図３のＣ、Ｄ）の装着反対面に屈曲自在な軟質金属或いは無機材を用いる形状成型手段（図３のＬ）を具備させ、必要所定な形状に成型させて構成させる密着手段と装着手段及び装着具（図２、３のＩ、Ｃ、Ｄ、Ｋ、Ｌ）。
【請求項３】
請求項２に記載する密着手段と装着手段及び装着具に有って、対を為す装着手段の形状成型手段に帯（ベルト）、バネ、磁石を用いて対を為す相互の装着手段を緊張或いは支持させ、装着形状を維持させる密着手段と装着手段及び装着具。
【請求項４】
請求項１に記載の対を為す装着手段或いは装着具の密着手段を排除し、円筒状或いは棒状に変え、回転させて微生物類の培養系に設け備えて支持させ、上記円筒状、棒状の接液面に超音波或いは摺動手段の洗浄手段を具備させて構成させる微生物類の培養手段或いは微生物類の活性手段。
【発明の詳細な説明】
【技術分野】
【０００１】    本発明は、血因病の治療手段と微生物の活性化手段に関わる。
【背景技術】
【０００２】    遠赤外線に因る熱と高周波電流を用いる血因病の治療、治癒手段は古くから知られている。その有効的な治療、治癒手段の具現化と提供は現在も遅れている。
【発明の開示】
【発明が解決しようとする課題】
【０００３】    本発明は、古くから知られる血因病の治療、治癒手段に関係する遠赤外線の伝熱効果を安定させて強め、血因病の治療、治癒の効果を高める。また微生物類の活性を高める。
【課題を解決するための手段】
【０００４】    請求項１、２、３に記載する装着手段を具現化させ、装着手段の装着面、遠赤外線伝熱面の装着、密着度を強め、遠赤外線の伝熱効果を向上させ、血因病の治療、治癒効果を高めさせ、また微生物類の活性化を可能とさせている。
【発明の効果】
【０００５】    本発明は、血因病、癌、白血病、糖尿病、打撲、捻挫等の治療、治癒に効果がある。
【発明の実施するための最良の形態】
【０００６】    図を参照し実施の形態を説明する。
護謨、炭素、樹脂（溶剤）無機添加物を混合し充分にライカイさせる。
炭素の混合比は、通電（図１のＡ）させて４０度以上の発熱を確保できれば良い。装着具（図２のＣ、Ｄ）の形状成型は、射出式、プレス式、どちらでも良い。また、装着具の外観形状は円状、角状、楕円状とし、所定の面積を確保すれば良い。形状を成型する場合に、電極の電力供給端末を露出させ、電極の対（図３のＫ）を装着具の内部に固定化成型させなければ成らない。電極（図３のＫ）は屈曲自在な軟質の金属を用いる。配線は一般の配線材を用いる。
電源の供給装置（図１のＡ）は電圧、電流の可変を基本とする。
装着具には、温度センサを備え、設定温度を維持させる。
【０００７】    装着具の装着面は滑らかに仕上げ、装着面に施すエンドレスな溝手段は、装着面と被装着面の気密を保持させる。
溝手段の施工、加工は射出成型が適する。吸引圧力は極小とする。
吸引の連結には、ホースを用い、圧力調整機能を装備させる。
【０００８】    高周波電流の回路は、陽、陰の対電極を併用させ直列配線回路を組む。
高周波電流出力器は、電圧、電流、周波数の可変速を可能とさせる。
【０００９】    装着具の装着面に形状変化を与える形状成型手段は、軟質金属を用い、装着面の反対面に板状の軟質金属を接着或いは固定させる。軟質金属にアルミ、銅、鉛の金属板を用いる。また双方の装着具にベルト、スプリング、磁石を用いて、双方の装着具を緊張させて双方の装着或いは密着を調整させる。
【００１０】    装着具を筒状或いは棒状に成型させ、電極の端末に回転摺動ブラシを備えさせて回転通電を可能にさせる。装着具を回転体に絶縁させて連結させ、微生物の培養系に備えさせる、回転数は１２０ｒｐｍを基準とする。対を為す回転装着具に高周波電力を上記同様、回転摺動ブラシを備えて通電させる。
【図面の簡単な説明】
【００１１】
【図１】装着手段の構成一実施例。
【図２】装着手段を構成させる溝手段の一実施例。
【図３】装着手段に配備される電極の一実施例。
【符号の説明】
【００１２】Ａ  通電手段
Ｂ  高周波電力通電手段
Ｃ  対を為す一方の装着手段
Ｄ  対を為す他方の装着手段
Ｅ  負圧手段
Ｆ  配線
Ｇ  配線
Ｈ  吸引手段
Ｉ  溝手段
Ｊ  吸引端
Ｋ  電極手段
Ｌ  形状形成手段
【図１】
2010042222.tif 000003
【図２】
2010042222.tif 000004
【図３】
2010042222.tif 000005
(57)【要約】      （修正有）【課題】マグカップの飲み口及び把手の改良、新しくカップの胴の部分の改善。【解決手段】カップ上部３方向３箇所に飲み口を造ります。把手は成人男性の人指し指、中指と指２本入る内丈４ＣＭ把手上部にの円形の指当て２−２で完壁に安定します。胴を親指と掌で挟む形に最適なカップの胴の形状はＵ字形が最良です。【選択図】図３
2010042226.tif 000002
【特許請求の範囲】
【請求項１】
マグカップに
イ、飲口を３箇所
ロ、把手の改良
ハ、胴のＵ字形の部分
新しい着想と改良の  安神カップ
【発明の詳細な説明】
【技術分野】
【０００１】従来のマグカップは唇とカップの角度が少しずれると下顎に飲料物が垂たり、杷手はデザインを重視し実用にあっていません、また把手を持たずカップの胴を持ち湯呑みがわりにすると握力の弱い人は持ち上げに失敗することもありますこれらの改善改良をしたマグカップで安神カップに関するものです
【背景技術】
【０００２】マグカップは多種多様ですが、使用する人の立場は弐の次ですので不便です。
【発明の開示】
【発明が解決しようとする課題】
【０００３】マグカップには次のような欠点があった。陶器製造業者は販売競争に勝ために使う人の立場より見栄えや器の大小で競いあいをしてきた、テレビをみながらコーヒーなど飲むと不覚にも口から下顎にコーヒーなどが垂ることがあった、自分の不注意だなと思い込んでいました。ある日テレビ番組で介護場面の映像で介護士がマグカップでお茶を飲ませる場面がありお茶を飲ます度ごと下顎を布で拭いていましな、そこでカップにお茶を入れて試したらお茶は浅く幅広く口に入ります。そのため角度が悪いと下唇から溢れ落ちます。カップを正確に保つなめの把手ですが形状が様々で、指が１本しか入らないもの２本入るが指の握力が弱い人は不安定になっなり、把手の形で通常の人でも適牲な状態で持てないものもありました。またカップを湯飲茶碗として胴の部分を持つたとき握力の弱い人はずり落してしまいます。
以上３つの指摘事項を改善改良するものです。
【課題を解決するための手段】
【０００４】マグカップに飲み口を作ると飲み易くなる、カップの上部に飲み口を３方向に把手は成人男性の人指し指と中指の指２本が入る大きさの把手。湯のみとして使い易いように胴の部分を親指や掌に弱い握力で密着するＵ字形にします。
【発明の効果】
【０００５】道具とは目的に合致するなめ最良の形を追及します湯冷まし（茶の湯に用いる用具）、片口（酒、醤油を樽などから小分けする器）この器に共通して注ぎ口があります。器の大小にかかわらず必ず注ぎ口を作ります液体を注ぎ口に集中させ目的の器に正確に零れないよう移し替えるためです。このことを考察してマグカップに注ぎ口（飲み口）を作り、コーヒー、牛乳、お茶を飲むスポットとすることで正確に飲料水が飲めることを実験で実証しました。
ここで次の問題点が、右利きの人、左利きの人がいます。個人に合うよう別々に作ることになります。なんとか１個で済ますことはできないか、検討をかさねた結果カップの左と右側に飲み口をつくることで問題はすつきりと問題解決です又テレビ映像の介護士の介護動作を見てお茶を飲ませるカップの部位はいつもカップの前側で飲ませます。それならば前側に飲み口があれば正確に飲ますことができます。又この飲み口が湯のみ茶碗のように胴を持つてお茶やジユースなど飲めます。またカップの両側に飲み口があるので左利き、右利きに関係なく左右両手を使い飲みわけることができることも実体験しました。
【カップの上部に左側、右側と前側の３箇所に飲み口を設けるとより便利で多用できるカップになります】
把手に人指し指１本入るものでテストしましたが安定しません。大きさを成人男性の人指し指と中指の指２本が入る寸法。内丈４ＣＭにきめテストしましたが安定不足でした。把手の幅を１，５ＣＭとして指との接触面を大きくしましたがまだ安定不足でした。ここで一工夫必要になりました、親指を上手に使うことでした、把手の上部に直径２ＣＭの円形の指当てを付けました。人指し指と親指で把手を挟みます親指の力加減でカップは完壁にちかく安定しました。
【把手は内丈４ＣＭ成人男性の人指し指と中指がはいり把手の幅は１，５ＣＭとして指に馴染むように仕上げ把手の外側上部に直径２ＣＭの円形の指当てを取付けます】
カップを湯のみ茶碗として使う人のために胴を持ちやすく、握力の弱い人にどのような形が最良か試作検討しました。掌と親指を広げるとその形はＵ字形になります、カッブの胴を手のＵ字に馴染む形状にすることで弱い握力の人でも楽々使用できました。
【カップの胴を親指と掌にぴったりのＵ字形にします】
【発明を実施するなめの最良の形態】
【０００６】イ、マグカップ上部３方向３箇所に飲み口を造ります。
ロ、把手は幅１、５ＣＭ、厚み１、１ＣＭ、内丈４ＣＭ、把手外側上部に直径２ＣＭの円形の指当てを付けます。
ハ、把手の反対側胴の部分をＵ字形にします。
【図面の簡単な説明】
【０００７】
【図−１】  カップの上部３方向３箇所に飲み口
【図−２】  把手の表面
【図−３】  把手の形状
【図−４】  カップの胴中央部分をＵ形に
【符号の説明】
【０００８】図ー１    カップ上部
１ー１  左側飲み口
１ー２  右側飲み口
１ー３  前側飲み口
図ー２    把手の表面
２ー１  幅１，５ＣＭ
２ー２  直径２ＣＭの円形の指当て
図ー３    把手の形状
３ー１  把手の厚み１，１ＣＭ
３ー２  把手の内丈４ＣＭ
図ー４    カップの胴Ｕ形
４ー１  カップの胴Ｕ形
【図１】
2010042226.tif 000003
【図２】
2010042226.tif 000004
【図３】
2010042226.tif 000005
【図４】
2010042226.tif 000006
(57)【要約】【課題】  足ツボマッサージ具が特別場所を取らない、バスマットの表面デザインも自由自在、洗濯も簡単、毎日お風呂から上がった時、足の水を拭きながら２−３分踏むだけで、足ツボマッサージができ一日の疲れが簡単に取れ、健康につながるマッサージバスマット。【解決手段】  バスマット▲１▼の片端に複数の穴▲５▼を設け、その下に足ツボマッサージ具▲２▼を置き、バスマット▲１▼穴▲５▼から足ツボマッサージ具▲２▼の突起部▲７▼を出すことによって、足ツボマッサージ具▲２▼とバスマット▲１▼を一体かする。【選択図】図２
2010042219.tif 000002
【特許請求の範囲】
【請求項１】
バスマット▲１▼の裏面材▲３▼の片端に穴▲５▼を開け、下に足ツボマッサージ具▲２▼を置き、そのバスマット▲１▼の裏面材▲３▼の穴▲５▼から足ツボマッサージ具▲２▼の突起部▲７▼を出して、バスマット▲１▼と足ツボマッサージ具▲２▼が一体になっている、マッサージバスマット。
【発明の詳細な説明】
【技術分野】
【０００１】  この発明は、バスマットと足ツボマッサージ具が一体になっているマッサージバスマットである。
【背景技術】
【０００２】  従来、バスマットはお風呂から上がって、足の水を拭く物であり、凹凸付き足ツボマッサージ具は単なる硬いイメージのマッサージ具である。
【発明の開示】
【発明が解決しようとする課題】
【０００３】  従来の凹凸付き足ツボマッサージ具はどこに置いても邪魔になり、見た目も良くないので、普段は使用されず部屋の片端に押し退けられている。一日の疲れが簡単取れる足ツボマッサージ具を有効に使えると良い。
【課題を解決するための手段】
【０００４】  この発明は、毎日使うバスマット▲１▼の裏面材▲３▼の片端に複数の小さな穴▲５▼を設け、バスマット▲２▼の下には突起部▲７▼付き足ツボマッサージ具▲２▼を置き、そのバスマット▲２▼の小さな穴▲５▼から足ツボマッサージ具▲２▼の突起部▲７▼を出すことによって、足ツボマッサージ具▲２▼とバスマット▲１▼を一体かする。
【発明の効果】
【０００５】  この発明は
（イ）足ツボマッサージ具▲２▼とバスマット▲１▼は一体になっているので、足ツボマッサージ具▲２▼が特別場所を取らない。
（ロ）足ツボマッサージ具▲２▼はパスマット▲１▼の下に置いて、又、突起部▲７▼は表面材▲４▼に隠されて見えないので、パスマット▲１▼の表面デザインには自由自在。
（ハ）接着材など使わず、足ツボマッサージ具▲２▼の上にバスマット▲１▼を位置合わせして置くだけなので、足ツボマッサージ具▲２▼とバスマット▲１▼は簡単に分離、セットでき、柔らかいバスマット▲１▼は今までのとおり洗濯機などで洗濯する。
（ニ）足ツボマッサージ具▲２▼の上にはバスマット▲１▼が覆われて、凹凸付き足ツボマッサージ具▲２▼には普段コミが溜まらない。
（ホ）毎日お風呂から上がった時、柔らかくなっている素足で２−３分踏むだけで、足の水を拭きながら一日の疲れが簡単に取れ、健康につながる効果がある。
【発明を実施するための最良の形態】
【０００６】    この発明を図面で説明すると
（イ）やや硬めなコムか合成樹脂でヨコ４０ｃｍ、タテ１５ｃｍ位の足ツボマッサージ具▲２▼を作る。
（ロ）足ツボマッサージ具▲２▼の突起部▲７▼はタテ１５ｃｍの断面で、中央▲８▼が高く両側▲９▼は低くして、足裏▲１０▼の形に合わせ十分足裏▲１０▼のツボを刺激することにする。
（ハ）バスマット▲１▼は裏面材▲３▼の片端に小さな穴▲５▼を複数設け、足ツボマッサージ具▲２▼を片端に設置して、周囲は今までとおりの柔らかなバスマット▲１▼とする。
（ニ）接着材は一切使わず、足ツボマッサージ具▲２▼の突起部▲７▼がバスマット▲１▼の穴▲５▼から出るようにセットすることで、下の足ツボマッサージ具▲２▼と上のバスマット▲１▼がしっかりと固定できる。
（ホ）バスマット▲１▼の表面材▲４▼は足ツボマッサージ具▲２▼の突起部▲７▼よりやや長めなパイル糸を使用し、表面から突起部▲７▼が見えないようにする。
【図面の簡単な説明】
【０００７】
【図１】バスマットと足ツボマッサージ具のセットする前の斜視図
【図２】本発明のマッサージバスマットの斜視図
【図３】本発明のマッサージバスマットの断面図
【符号の説明】
【０００８】▲１▼バスマット
▲２▼足ツボマッサージ具
▲３▼裏面材
▲４▼表面材
▲５▼穴
▲６▼基盤
▲７▼突起部
▲８▼中央
▲９▼両側
▲１０▼足裏
【図１】
2010042219.tif 000003
【図２】
2010042219.tif 000004
【図３】
2010042219.tif 000005
(57)【要約】【課題】  針・糸を使用せず、誰にでも簡単に取り付け、取り外しが出来、脱落しないボタンを提供する。【解決手段】  脱落しないことを原点として、図１の様に▲１▼ボタン、▲２▼ジョイントロックピン、▲３▼ワッシャー、▲５▼裏ボタン、による強固な取り付け、そして取り外しが出来ることにより、この課題を解決する。【選択図】図１
2010042220.tif 000002
【特許請求の範囲】
【請求項１】
ジョイントロックピンの下部へワッシャーを入れ、布地にあけた菊穴（ミシン縫製）に挿入し、菊穴の裏面より裏ボタンをはめ込み固定し、ジョイントロックピンの上部より本発明のボタンをはめ込む、針と糸を使用しないボタンと取り外しの為の冶具。（ロック解除キー）
【発明の詳細な説明】
【技術分野】
【０００１】  本発明は、従来のボタンの取り付けとはまったく異なり、針と糸を使用しないボタンであり、ボタンを使用するすべての衣服に対応出来得るものである。
【背景技術】
【０００２】  針と糸を使用しないボタンに関しては、男子学生服の金属ボタン留め方式及び一部差込み方式のものは認められるが、生地の厚さ・強度等未解決である。機械を使用して取り付けるボタンは、数多く見受けられますが、誰にでも簡単に取りり付け・取り外しの出来るボタンは本発明以外見受けられません。
【発明の開示】
【発明が解決しようとする課題】
【０００３】  衣料品の量産化によりボタンの取り付けも機械で簡単に短時間で処理される様になっています。手縫いの場合の様にくくりが出来ないため、洗濯の繰り返し等によってボタンの脱落が非常に多くなります。ボタンを取り付ける作業は誰にでも出来る様でいて以外に時間も手間も掛かり、ボタン脱落の為に着用出来ないという事もあります。
また、ボタンの種類（塗装・メッキ）によってはドライクリーニングに耐えられないものもあり、ホテル等においては、クリーニングの都度ボタンを付け直しているという話も聞き及んでおります。
【課題を解決するてめの手段】
【０００４】  本発明は、脱落しないボタンの発明を原点として試作を繰り返し、強度・取り・付け方法・生地の厚み等を検討し、その結果このボタンを発明しました。
図面による説明に入ります。第１図は断面図となり、▲１▼ボタン  ▲２▼ジョイトロックピン  ▲３▼ワッシャー  ▲４▼布地  ▲５▼裏ボタン  ▲６▼菊穴
次に構造の説明となります。▲２▼ジョイントロックピンの下部へ▲３▼ワッシーを入れ、次に▲６▼菊穴に挿入し、菊穴の裏面より▲５▼裏ボタンをはめ込みます。以上の行為で、▲２▼ジョイントロックピンを介して、▲４▼布地に強固に固定されます。
その後、▲２▼ジョイントロックピンの上部より、本発明のボタンを取り付けます。裏ボタンの取り外しの時は、裏ボタンと布地の間に冶具（ロック解除キー）を図の様に差し込んで、裏ボタンとジョイントロックピン下部の取り外しを行います。又、ボタンとジョイントロックピン上部の取り外しも同様にジョイントロックピン上部とボタンの裏側に差し込んで行います。
【０００５】  この発明は、その使用方法において、従来のボタンとの相違はありません。しかし、その取り付け方法において従来のボタンとは大きな相違があります。それは針と糸を使用しないという点です。すなわち、このボタンのセットがあればいつでも簡単に取り付けが出来るということです。
【発明の効果】
【０００６】  この発明によれば、このボタンのセットを持参することにより、いつでもどこでもボタンの交換が出来ます。また、上手下手の違い無く正確に均一にボタンを取り付けることが出来る様になりました。そして、ふつうの使用においてはほとんど脱落の心配が無くなりました。
【発明を実施するための最良の形態】
【０００７】  図１は、ジョイントロックピンを介して、裏ボタンとボタンが強固に固定されたことを示す断面図である。斜線の部分は、この発明における最も重要な部分であるジョイントロックピンの断面図であり、上部のテーパー部分は、ボタンの取り外しに使用する冶具（ロック解除キー）を確実に差し込む為のものである。材質としては、プラスチック系のもので弾力性にすぐれたものが考えられる。【０００８】  図２は、布地の厚みに対応して、裏ボタンと共に布地を確実に強固に挟み込む為の部品（ワッシャー）である。
材質としては、プラスチック系のもので、弾力性にすぐれたものが考えられる。【０００９】  図３は、裏ボタンである。この部品は、ジョイントロックピンの下部を確実に強固に留める為のものであり、材質としては、金属・プラスチック等樹脂系・木質等が使用可能である。
【産業上の利用可能性】
【００１０】  本発明に係わるジョイントロックピン・ワッシャー・裏ボタン・冶具（ロック解除キー）は、種々の材質のものを使用し、工業的量産が可能である為、産業上の利用可能性を有する。
【図面の簡単な説明】
【００１１】
【図１】  ジョイントロックピンを介して固定されるボタン・裏ボタン・ワッシーの断面図である。
【図２】  ワッシャーの平面図である。
【図３】  ボタンと裏ボタンの平面図である。（但し、サイズ型状は少し違うがシステム・機構としては同一）
【図４】  ジョイントロックピンのボタン側と裏ボタン側の平面図である。
【図５】  ジョイントロックピンの斜視図である。
【図６】  ボタン・裏ボタンを取り外す為の冶具（ロック解除キー）の平面図・斜視図であり、中央の図は、ジョイントロックピンとの関連をしめすものである。
【符号の説明】
【００１２】１    ボタン
２    ジョイントロックピン
３    ワッシャー
４    布地
５    裏ボタン
６    菊穴
【図１】
2010042220.tif 000003
【図２】
2010042220.tif 000004
【図３】
2010042220.tif 000005
【図４】
2010042220.tif 000006
【図５】
2010042220.tif 000007
【図６】
2010042220.tif 000008